(57)【特許請求の範囲】
【請求項１】
無線ルータに接続された無線端末が、無線ルータが選択した複数のＷＡＮ側回線の１つのＷＡＮ側回線を介してネットワークに接続される無線通信システムにおいて、
前記無線端末は、ＧＰＳ（Global Positioning System ）信号を受信して位置情報を取得する手段と、当該位置情報を前記無線ルータへ送信する手段とを含み、
前記無線ルータは、前記無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段と、当該通信状況リストを所定の周期で前記複数のＷＡＮ側回線の１つを利用して前記ネットワークに接続されるエリア解析サーバへ送信する手段とを含み、
前記エリア解析サーバは、前記無線ルータが１以上存在するときに、各無線ルータから送信されるそれぞれの通信状況リストに基づき、前記位置情報に応じた区画およびＷＡＮ側回線ごとの前記通信データ量を積算した区画情報リストを作成する区画情報リスト作成手段を含み、
前記無線端末は、通信データが存在する期間に限って前記位置情報を送信する
ことを特徴とするエリア解析システム。
【請求項２】
無線ルータに接続された無線端末が、無線ルータが選択した複数のＷＡＮ側回線の１つのＷＡＮ側回線を介してネットワークに接続される無線通信システムにおいて、
前記無線端末は、ＧＰＳ（Global Positioning System ）信号を受信して位置情報を取得する手段と、当該位置情報を前記無線ルータへ送信する手段とを含み、
前記無線ルータは、前記無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段と、当該通信状況リストを所定の周期で前記複数のＷＡＮ側回線の１つを利用して前記ネットワークに接続されるエリア解析サーバへ送信する手段とを含み、
前記エリア解析サーバは、前記無線ルータが１以上存在するときに、各無線ルータから送信されるそれぞれの通信状況リストに基づき、前記位置情報に応じた区画およびＷＡＮ側回線ごとの前記通信データ量を積算した区画情報リストを作成する区画情報リスト作成手段を含み、
前記無線端末は、前記無線ルータの所定の登録周期またはその整数倍の周期で前記位置情報を送信する
ことを特徴とするエリア解析システム。
【請求項３】
無線ルータに接続された無線端末が、無線ルータが選択した複数のＷＡＮ側回線の１つのＷＡＮ側回線を介してネットワークに接続される無線通信システムにおいて、
前記無線端末は、ＧＰＳ（Global Positioning System ）信号を受信して位置情報を取得する手段と、当該位置情報を前記無線ルータへ送信する手段とを含み、
前記無線ルータは、前記無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段と、当該通信状況リストを所定の周期で前記複数のＷＡＮ側回線の１つを利用して前記ネットワークに接続されるエリア解析サーバへ送信する手段とを含み、
前記エリア解析サーバは、前記無線ルータが１以上存在するときに、各無線ルータから送信されるそれぞれの通信状況リストに基づき、前記位置情報に応じた区画およびＷＡＮ側回線ごとの前記通信データ量を積算した区画情報リストを作成する区画情報リスト作成手段を含み、
前記無線ルータは、前記無線端末が複数あるときに、最も受信電力の高い無線端末から取得した位置情報のみを登録する
ことを特徴とするエリア解析システム。
【請求項４】
無線ルータに接続された無線端末が、無線ルータが選択した複数のＷＡＮ側回線の１つのＷＡＮ側回線を介してネットワークに接続される無線通信システムにおいて、
前記無線端末は、ＧＰＳ（Global Positioning System ）信号を受信して位置情報を取得する手段と、当該位置情報を前記無線ルータへ送信する手段とを含み、
前記無線ルータは、前記無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段と、当該通信状況リストを所定の周期で前記複数のＷＡＮ側回線の１つを利用して前記ネットワークに接続されるエリア解析サーバへ送信する手段とを含み、
前記エリア解析サーバは、前記無線ルータが１以上存在するときに、各無線ルータから送信されるそれぞれの通信状況リストに基づき、前記位置情報に応じた区画およびＷＡＮ側回線ごとの前記通信データ量を積算した区画情報リストを作成する区画情報リスト作成手段を含み、
前記無線ルータは、前記無線端末が複数あるときに、各無線端末から取得した位置情報の平均値を位置情報として登録する
ことを特徴とするエリア解析システム。
【請求項５】
無線ルータに接続された無線端末が、無線ルータが選択した複数のＷＡＮ側回線の１つのＷＡＮ側回線を介してネットワークに接続される無線通信システムにおいて、
前記無線端末は、ＧＰＳ（Global Positioning System ）信号を受信して位置情報を取得する手段と、当該位置情報を前記無線ルータへ送信する手段とを含み、
前記無線ルータは、前記無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段と、当該通信状況リストを所定の周期で前記複数のＷＡＮ側回線の１つを利用して前記ネットワークに接続されるエリア解析サーバへ送信する手段とを含み、
前記エリア解析サーバは、前記無線ルータが１以上存在するときに、各無線ルータから送信されるそれぞれの通信状況リストに基づき、前記位置情報に応じた区画およびＷＡＮ側回線ごとの前記通信データ量を積算した区画情報リストを作成する区画情報リスト作成手段を含み、
前記無線ルータは、前記無線端末が複数あるときに、各無線端末から順番に位置情報を取得する
ことを特徴とするエリア解析システム。
【請求項６】
請求項１または請求項２に記載のエリア解析システムの無線端末において、
ＧＰＳ信号を受信して位置情報を取得する手段と、
前記位置情報を前記無線ルータへ送信する手段と
を備えたことを特徴とする無線端末。
【請求項７】
請求項３ないし５のいずれか１項に記載のエリア解析システムの無線ルータにおいて、  ＧＰＳ信号を受信して位置情報を取得する無線端末が送信した位置情報を取得する手段と、
前記位置情報と、選択したＷＡＮ側回線と、そのＷＡＮ側回線を利用した通信データ量を含む通信状況を所定の登録周期で通信状況リストとして登録する手段と、
前記通信状況リストを所定の周期で前記複数のＷＡＮ側回線の１つを利用して前記ネットワークに接続されるエリア解析サーバへ送信する手段と
を備えたことを特徴とする無線ルータ。
【発明の詳細な説明】
【技術分野】
【０００１】
本発明は、ＧＰＳ（Global Positioning System ）機能を搭載した無線端末が、無線端末とともに移動する無線ルータを介してネットワークに接続される無線通信システムにおいて、無線ルータの位置情報および通信状況をネットワークに接続されたエリア解析サーバが収集し、場所ごとの通信状況の解析を行うエリア解析システム、さらにエリア解析システムを構成する無線ルータおよび無線端末に関する。
【背景技術】
【０００２】
複数のＷＡＮ側回線インタフェースを備える無線ルータは、自動的に最適なＷＡＮ側回線を選択して接続し、無線端末とＷＡＮ側回線との間で中継処理を行う。例えば、無線ルータが携帯電話回線と無線ＬＡＮ回線に対応できるとき、駅のホームなどの公衆無線ＬＡＮサービスのサービスエリア内にいるときは公衆無線ＬＡＮ回線を利用し、そのサービスエリア外に移動したときは携帯電話回線に自動的に切り替わる。無線端末は、このような無線ルータとの接続インタフェースを備えるだけで、複数のＷＡＮ側回線を選択してネットワークに接続することができる。
【０００３】
この無線ルータによる通信状況を容易に把握するシステムとしてエリア解析システムがある（非特許文献１）。
【０００４】
このエリア解析システムでは、各無線ルータがＧＰＳ機能を搭載し、ＧＰＳ信号を受信して位置情報を取得し、そのときのＷＡＮ側回線種別およびそのＷＡＮ側回線を利用した通信データ量を記録する。この記録を各無線ルータからエリア解析サーバへ送信し、エリア解析サーバでは区画ごとの通信データ量を積算することで、場所ごとの通信状況を把握できる。
【先行技術文献】
【非特許文献】
【０００５】
【非特許文献１】「無線ルータにおける位置情報連携システムの一検討」，電子情報通信学会ソサイエティ大会B-15-14 ，2010．
【発明の概要】
【発明が解決しようとする課題】
【０００６】
従来技術では、無線ルータがＧＰＳ機能を備える必要があり、ＧＰＳ機能を持たない無線ルータでは位置情報を取得することができず、位置ごとの通信データ量を記録することができない。そのため、エリア解析サーバにおいて場所ごとの通信状況の解析に利用することができなかった。
【０００７】
本発明は、無線ルータにおいて位置情報を取得する手段として、無線ルータへ無線接続する無線端末のＧＰＳ機能で得られる位置情報を利用し、その位置情報と対応付けて通信データ量を記録し、場所ごとの通信状況の解析を可能にするエリア解析システム、さらにエリア解析システムを構成する無線ルータおよび無線端末を提供することを目的とする。
【課題を解決するための手段】
【０００８】
第１の発明は、無線ルータに接続された無線端末が、無線ルータが選択した複数のＷＡＮ側回線の１つのＷＡＮ側回線を介してネットワークに接続される無線通信システムにおいて、無線端末は、ＧＰＳ信号を受信して位置情報を取得する手段と、当該位置情報を無線ルータへ送信する手段とを含み、無線ルータは、無線端末が送信した位置情報を取得する手段と、当該位置情報と、選択したＷＡＮ側回線と、そのＷＡＮ側回線を利用した通信データ量を含む通信状況を所定の登録周期で通信状況リストとして登録する手段と、当該通信状況リストを所定の周期で複数のＷＡＮ側回線の１つを利用してネットワークに接続されるエリア解析サーバへ送信する手段とを含み、エリア解析サーバは、無線ルータが１以上存在するときに、各無線ルータから送信されるそれぞれの通信状況リストに基づき、位置情報に応じた区画およびＷＡＮ側回線ごとの通信データ量を積算した区画情報リストを作成する区画情報リスト作成手段を含むことを前提としたエリア解析システムである。
【０００９】
そして、第１の発明のエリア解析システムにおいて、無線端末は、通信データが存在する期間に限って位置情報を送信する。
もしくは、第１の発明のエリア解析システムにおいて、無線端末は、無線ルータの所定の登録周期またはその整数倍の周期で位置情報を送信する。
【００１０】
もしくは、第１の発明のエリア解析システムにおいて、無線ルータは、無線端末が複数あるときに、最も受信電力の高い無線端末から取得した位置情報のみを登録する。
もしくは、第１の発明のエリア解析システムにおいて、無線ルータは、無線端末が複数あるときに、各無線端末から取得した位置情報の平均値を位置情報として登録する。
もしくは、第１の発明のエリア解析システムにおいて、無線ルータは、無線端末が複数あるときに、各無線端末から順番に位置情報を取得する。
【００１１】
第２の発明は、第１の発明のエリア解析システムの無線ルータにおいて、ＧＰＳ信号を受信して位置情報を取得する無線端末が送信した位置情報を取得する手段と、位置情報と、選択したＷＡＮ側回線と、そのＷＡＮ側回線を利用した通信データ量を含む通信状況を所定の登録周期で通信状況リストとして登録する手段と、通信状況リストを所定の周期で複数のＷＡＮ側回線の１つを利用してネットワークに接続されるエリア解析サーバへ送信する手段とを備える。
【００１２】
第３の発明は、第１の発明のエリア解析システムの無線端末において、ＧＰＳ信号を受信して位置情報を取得する手段と、位置情報を無線ルータへ送信する手段とを備える。
【発明の効果】
【００１３】
本発明では、無線ルータにＧＰＳ機能が搭載されていない場合でも、無線ルータに接続される無線ＬＡＮ端末のＧＰＳ機能を利用して得られる位置情報と、無線ルータで選択する回線種別ごとの通信データ量を記録し、エリア解析サーバに集約することにより場所ごとの通信状況を解析することが可能となる。
【図面の簡単な説明】
【００１４】
【図１】本発明のエリア解析システムの構成例を示す図である。
【図２】無線ルータ１２および無線ＬＡＮ端末１３の構成例を示す図である。
【図３】通信状況リストの例を示す図である。
【図４】エリア解析サーバ１４の構成例を示す図である。
【図５】区画情報リストの区画の概念を説明する図である。
【図６】区画情報リストの例を示す図である。
【図７】実施例３における無線ルータと無線ＬＡＮ端末の関係を示す図である。
【図８】無線ＬＡＮ端末位置情報リストの例を示す図である。
【発明を実施するための形態】
【実施例１】
【００１５】
図１は、本発明のエリア解析システムの構成例を示す。
図１において、ネットワーク１１と接続した無線ＬＡＮ基地局ＡＰ１，ＡＰ２は駅や店舗に設置され、公衆無線ＬＡＮのサービスを提供している。無線ＬＡＮ基地局ＡＰ１，ＡＰ２は自宅に設置されている場合もある。携帯電話基地局ＢＳもネットワーク１１に接続されており、公衆無線ＬＡＮよりも広いエリアを１つの基地局でカバーしている。ユーザは、無線ルータ１２と無線ＬＡＮ端末１３を所持し、無線ＬＡＮ基地局ＡＰ１，ＡＰ２との通信が可能な無線ＬＡＮエリアおよび携帯電話基地局ＢＳとの通信が可能な携帯電話エリアを移動する。ネットワーク１１に接続されるエリア解析サーバ１４は、無線ルータ１２から位置情報とＷＡＮ側回線ごとの通信データ量を収集し、場所ごとの通信状況を解析する機能を有する。
【００１６】
図２は、無線ルータ１２および無線ＬＡＮ端末１３の構成例を示す。
図２において、無線ルータ１２は、ＷＡＮ側無線ＬＡＮ送受信部１２１、ＷＡＮ側携帯電話送受信部１２２、ＬＡＮ側無線ＬＡＮ送受信部１２３、ＷＡＮ側回線の接続切替を行う制御部１２４、通信データ量カウンタ１２５、位置情報記憶部１２６および通信状況記憶部１２７を備える。
【００１７】
無線ＬＡＮ端末１３は、無線ＬＡＮ送受信部１３１および制御部１３２に加えて、現在位置の位置情報を取得する手段として、一定周期（例えば１秒）ごとにＧＰＳ衛星からのＧＰＳ信号を受信し、受信地点の緯度、経度の位置情報を算出するＧＰＳ信号受信部１３３と、時刻情報と位置情報を記憶する位置情報記憶部１３４を備える。ＧＰＳ信号が受信できない場合など位置情報を算出できない場合は、最後に受信した緯度経度の情報を保持する。
【００１８】
無線ＬＡＮ端末１３は、無線ルータ１２との接続処理を完了してから接続している間に、位置情報記憶部１３４に記憶された位置情報を一定周期ごとに無線ルータ１２へ送信する。送信方法としてはＨＴＴＰ(HyperText Transfer Protocol) のＧＥＴメソッドやＰＯＳＴメソッドを利用する方法がある。この場合、無線ルータ１２にはＷｅｂサーバ機能を搭載しておくことで位置情報を受信することができる。
【００１９】
ここで、無線ＬＡＮ端末１３の無線ＬＡＮ送受信部１３１がトラヒック監視手段を備え、トラヒックが生じたことをトリガとして、トラヒックが存在する間に限って、位置情報記憶部１３４に記憶された位置情報を一定周期ごとに無線ルータ１２へ送信することもできる。本実施例では、無線ルータ１２の位置と通信状況とを関連付けてエリア解析サーバ１４に送信すればよいため、トラヒックが存在しないときの位置情報の送信を省略することによって、無線ＬＡＮ端末１３の省電力化ができるとともに、不要なトラヒックの発生を回避することができる。
【００２０】
無線ルータ１２は無線ＬＡＮ端末１３から受信した位置情報を無線ルータ１２の位置情報記憶部１２６に記憶する。
【００２１】
無線ルータ１２の制御部１２４は、一定周期ごとに利用中のＷＡＮ側回線と、通信データ量カウンタ１２５で計測される当該ＷＡＮ側回線で送受信した通信データ量を通信状況記憶部１２７に登録する。ここで、通信状況記憶部１２７に登録する周期を登録周期とする。
【００２２】
通信状況記憶部１２７に登録される通信状況リストの例を図３に示す。ここでは登録周期を10秒としている。時刻、緯度、経度については、無線ＬＡＮ端末１３から送信され位置情報記憶部１２６に記憶されている情報を利用する。ＷＡＮ側利用回線については、登録時点で利用している回線を記憶し、10秒間の間にＷＡＮ側回線を利用して送受信した通信データ量を記憶する。登録周期の間にＷＡＮ側利用回線が切り替わった場合にはその旨が登録される。
【００２３】
ここで、無線ルータ１２は、通信に先立って、無線ＬＡＮ端末１３の制御部１３２に対して、位置情報を無線ルータ１２へ送信する周期を通信状況記憶部１２７に通信データ量を登録する周期と一致するように設定してもよい（上記の例では、10秒）。上述したように、位置情報と通信状況とを関連付けてエリア解析サーバ１４に送信するには、これらが一対一で対応していればよく、位置情報の更新周期と通信状況の登録周期を一致させることによって、これらの周期の最適化ができる。さらに、無線ＬＡＮ端末１３の省電力化を行うためには、位置情報の更新周期を通信状況の登録周期の整数倍とし、一次補完によりその間の位置情報を推定することもできる。
【００２４】
無線ルータ１２の通信状況記憶部１２７に登録された通信状況は、通信状況リストとしてネットワーク１１に接続されたエリア解析サーバ１４に一定周期で送信される。例えば１日に１回、深夜の時間帯などネットワーク内のデータ量が少ない時間帯に送信する。送信はいずれかのＷＡＮ側回線を利用するが、送信するデータが多い場合には、できるだけ無線ＬＡＮ回線を利用すると短時間での送信が完了する。エリア解析サーバ１４へメールで送信する場合には、無線ルータ１２にメール送信機能を備えてもよい。
【００２５】
図４は、エリア解析サーバ１４の構成例を示す。
図４において、エリア解析サーバ１４は、通信部１４１、通信状況リスト格納部１４２、エリア解析処理部１４３、区間情報リスト格納部１４４により構成される。ネットワーク１１に接続された通信部１４１は、各無線ルータ１２から送られる通信状況リストを受信し、通信状況リスト格納部１４２に登録する。通信状況リスト格納部１４２は、各無線ルータ１２から一定周期で通信状況リストが送られてくるため大規模な容量を備えておく。エリア解析処理部１４２は、通信状況リストを読み込み、回線種別ごとの通信状況を解析するための区画情報リストを作成し、区画情報リスト格納部１４４に格納する。また、区画情報リストを表示する表示部を備えてもよい。
【００２６】
次に、エリア解析処理部１４３の動作例を示す。エリア解析処理部１４３では、解析したい回線種別ごとの区画情報リストを作成する。区画情報リストの区画の概念を図５に示し、実際にエリア解析処理部１４３内で処理する区画情報リストの例を図６に示す。
【００２７】
図５において、区画の座標を示すＡ，Ｂ，Ｃ，…は緯度方向、１，２，３…は経度方向を示す。区画の大きさは、解析したい精度に合わせて緯度経度の度単位や50ｍ四方といったように設定することができる。ここでは、緯度経度の小数点以下４桁の数値を用いている。図６において、区画情報リストは、区画の座標（例えば（Ａ，１））、座標の位置を示す緯度経度、各無線ルータ１２から受信した通信データ量の合計を格納する合計通信データ量の各項目で構成される。
【００２８】
以下、ＷＡＮ側回線として携帯電話および無線ＬＡＮの２種類について、各区画の合計通信データ量を示す区画情報リストを作成する例を示す。例えば、区画情報リスト（携帯電話）、区画情報リスト（無線ＬＡＮ）とする。なお、例えば携帯電話の区画情報リストが必要な場合は、区画情報リスト（携帯電話）のみを作成することになる。
【００２９】
エリア解析処理部１４３は、通信状況リスト格納部１４２から通信状況リストを１つ取得し、通信状況リスト内の各行について以下の手順で区画情報リストの合計通信データ量へ通信データ量を加算していく。まず、ＷＡＮ側利用回線の項目で携帯電話と無線ＬＡＮを識別し、区画情報リスト（携帯電話）および区画情報リスト（無線ＬＡＮ）のどちらにその行の通信データ量を加算するかを決定する。その行の緯度経度から区画情報リスト内の該当する区画を検索する。そして、その区画の通信データ量を加算する。例えば、ＷＡＮ側利用回線が携帯電話となっており、緯度経度が区画（Ａ，３）に該当した場合、その行の通信データ量は区画情報リスト（携帯電話）の区画（Ａ，３）の合計通信データ量に加算される。
【００３０】
通信状況リスト内の各行の通信データ量は、順次、区画情報リスト（携帯電話）および区画情報リスト（無線ＬＡＮ）の各区画に加算する。通信状況リスト格納部１４２には多数の通信状況リストが格納されているので、各リストについて順次同様の処理を行い、通信データ量を区画情報リストに加算していく。すべての通信状況リストについて通信データ量の加算により、区画情報リスト内の各区画での通信データ量の計算が完了する。作業者への表示方法としては、区画情報リストの合計通信データ量を地図上にマッピングして、数値の大小を色の濃淡や記号で識別して表示することで、通信状況マップとして一目で通信データ量が多い場所を作業者は認識することが可能となる。
【００３１】
この区画情報リストから該当するＷＡＮ側回線の通信データ量が多い地点がわかり、通信設備の増強などの対応を検討することが可能となる。その後も順次各無線ルータから通信状況リストが送られてくるので、その内容を区画情報リストに反映することで、精度を向上させることができる。
【００３２】
なお、無線ルータ１２からエリア解析サーバ１４への通信状況リストの送信プロトコルとしては、ＦＴＰやＨＴＴＰを利用することもできる。その場合は、それらのプロトコルを無線ルータ１２に備えることになる。エリア解析サーバ１４への送信は、１日に１回といった形で定期的に送信することも可能であるが、通信状況記憶部１２７の容量が一定量を超えたら送信するといったことも可能である。
【００３３】
また、携帯電話の事業者別のエリア解析を行うことや、無線ＬＡＮについても公衆無線ＬＡＮ事業者別のエリア解析を行うことも可能である。無線ルータ１２の通信状況記憶部１２７に記憶するＷＡＮ側利用回線の項目として、通信事業者の識別子も合わせて記憶することで対応可能である。通信事業者の識別は、携帯電話回線であれば、ルータに搭載したＳＩＭカードの情報を利用することができ、無線ＬＡＮであれば、ＥＳＳ−ＩＤを利用することが可能である。
【実施例２】
【００３４】
実施例２では、無線ルータ１２が無線ＬＡＮ端末１３に対して位置情報を要求し、無線ＬＡＮ端末１３が要求に応じて位置情報を送信することを特徴とする。
【００３５】
図２において、無線ルータ１２の制御部１２４は、周期的にＬＡＮ側無線ＬＡＮ送受信部１２３を介して、無線ＬＡＮ端末１３に位置情報を要求する。無線ＬＡＮ端末１３の制御部１３２は、無線ルータ１２から位置情報の要求を受けると、位置情報記憶部１３４から位置情報を取得して、無線ＬＡＮ送受信部１３１を介して無線ルータ１２に送信する。
【００３６】
このとき、無線ルータ１２の制御部１２４がＷＡＮ側無線ＬＡＮ送受信部１２１またはＷＡＮ側携帯電話送受信部１２２を通過するトラヒックの監視手段を備え、トラヒックが生じたことをトリガとして、トラヒックが存在する間に限って、無線ＬＡＮ端末１３に位置情報を要求することもできる。トラヒックが存在しないときの位置情報の送信を省略することによって、無線ＬＡＮ端末１３の省電力化ができるとともに、不要なトラヒックの発生を回避することができる。
【実施例３】
【００３７】
実施例３では、複数の無線ＬＡＮ端末が無線ルータに接続している場合に、最も無線ルータに近い無線ＬＡＮ端末の位置情報を無線ルータの位置情報として選択することを特徴とする。たとえば、一のユーザの無線ルータに複数のユーザの無線ＬＡＮ端末が接続していると仮定する。当該無線ルータの電波の届く範囲は一般的に数十ｍである。したがって、無線ルータと各無線ＬＡＮ端末との間の位置情報の誤差としては、数十ｍオーダとなるため、ランダムに無線ＬＡＮ端末を選択すると、置局設計に数十ｍオーダの誤差が生じることになる。ここで、最も受信電力の高い無線ＬＡＮ端末ほど無線ルータの近くにあると考えられることから、その位置情報を選択することによって、その誤差を小さくすることができると考えられる。すなわち、当該無線ＬＡＮ端末の位置を中心として数十ｍを半径とした無線基地局を設置したときに、収容されるトラヒック量を測定することが可能となる。
【００３８】
図７は、実施例３における無線ルータと無線ＬＡＮ端末の関係を示す。ここでは、無線ルータ１２に３台の無線ＬＡＮ端末１３−１〜１３−３が接続される例を示す。
【００３９】
各無線ＬＡＮ端末１３−１〜１３−３は、実施例１の手順に従って、それぞれ取得した位置情報を無線ルータ１２へ送信する。これにより、無線ルータ１２は複数の無線ＬＡＮ端末から位置情報を取得することになるが、無線ルータ１２は各無線ＬＡＮ端末から位置情報とともに受信データの受信電力を無線ＬＡＮ端末位置情報リストとして記憶する。無線ＬＡＮ端末位置情報リストの例を図８に示す。
【００４０】
無線ルータ１２では、無線ＬＡＮ端末位置情報リストの受信電力を参照し、最も受信電力の大きい無線ＬＡＮ端末が最も無線ルータに近い場所にあると判断し、その無線ＬＡＮ端末から取得した位置情報を無線ルータ１２の位置情報として選択し、無線ルータ１２の位置情報記憶部１２６に記憶する。これにより、無線ルータの推定位置の精度を向上することができる。その後の動作は実施例１と同様となる。
【００４１】
無線ＬＡＮ端末位置情報リストは、無線ルータ１２に無線ＬＡＮ端末が新たに接続した場合は行を追加し、無線ＬＡＮ端末が切断した場合は該当の行を削除する。そして、無線ＬＡＮ端末から位置情報が送信されると緯度経度が更新されるが、無線ＬＡＮ端末ごとに一定時間更新がない場合は位置情報が取得できなくなったと判断し、緯度経度のフィールドを空欄にする。
【実施例４】
【００４２】
実施例４は、実施例３と同様に無線ＬＡＮ端末位置情報リストに複数の無線ＬＡＮ端末の位置が登録されている場合に、その平均値を無線ルータ１２の位置として採用することを特徴とする。
【００４３】
図８の無線ＬＡＮ端末位置情報リストの例のように、３台の無線ＬＡＮ端末から位置情報を受信した場合に、３台の無線ＬＡＮ端末の中心に無線ルータ１２があると推定することで無線ルータ１２の位置の精度を向上させることができる。
【実施例５】
【００４４】
実施例５は、複数の無線ＬＡＮ端末が無線ルータ１２に接続している場合にいずれか１台が位置情報を送り、その他の無線ＬＡＮ端末はＧＰＳ信号の受信処理を停止することを特徴とする。例えば、あるユーザが無線ルータ１２と複数の無線ＬＡＮ端末を所持している場合には、各無線ＬＡＮ端末の位置情報の違いは僅かであるので、複数の無線ＬＡＮ端末から同時に位置情報を取得する必要はない。
【００４５】
例えば、無線ルータ１２が５秒ごとに位置情報を取得する場合、無線ＬＡＮ端末が３台接続していれば順にＧＰＳ信号受信処理を行うことで、各無線ＬＡＮ端末は15秒ごとにＧＰＳ信号受信処理を行えばよいことになる。これにより、無線ＬＡＮ端末の省電力化を行うことができる。たとえば、実施例２のように、無線ルータ１２の問い合わせにより各無線ＬＡＮ端末が位置情報を送信する場合には、無線ルータ１２が３台の無線ＬＡＮ端末のそれぞれから順番に位置情報を取得する。実施例１のように、無線ＬＡＮ端末が無線ルータ１２に位置情報を自律分散的に送信する形態では、それぞれの無線ＬＡＮ端末が互いに同期して、順番に位置情報を送信する。
【符号の説明】
【００４６】
ＡＰ１，ＡＰ２  無線ＬＡＮ基地局
ＢＳ  携帯電話基地局
１１  ネットワーク
１２  無線ルータ
１３  無線ＬＡＮ端末
１４  エリア解析サーバ
１２１  ＷＡＮ側無線ＬＡＮ送受信部
１２２  ＷＡＮ側携帯電話送受信部
１２３  ＬＡＮ側無線ＬＡＮ送受信部
１２４  制御部
１２５  通信データ量カウンタ
１２６  位置情報記憶部
１２７  通信状況記憶部
１３１  無線ＬＡＮ送受信部
１３２  制御部
１３３  ＧＰＳ信号受信部
１３４  位置情報記憶部
１４１  通信部
１４２  通信状況リスト格納部
１４３  エリア解析処理部
１４４  区間情報リスト格納部
【図１】
0005575711.tif 000002
【図２】
0005575711.tif 000003
【図３】
0005575711.tif 000004
【図４】
0005575711.tif 000005
【図５】
0005575711.tif 000006
【図６】
0005575711.tif 000007
【図７】
0005575711.tif 000008
【図８】
0005575711.tif 000009